(57)【要約】【課題】識別情報の表示件数を少なくでき、記録媒体に記録されている映像情報や音声情報の確認が容易に行えるようになるコンテンツ再生装置における一覧表示方法を提供する。【解決手段】まず、映像情報や音声情報に付与された識別情報を光ディスクから読み出して取得し（識別情報取得ステップＳ１１）、この取得した識別情報が既に取得した識別情報と類似しているか否かを判断し（識別情報類似性判断ステップＳ１２）、その結果、非類似と判断された場合には一覧表示設定ステップＳ１３へ進み、この取得した識別情報を表示内容に設定する。類似の判断がなされた場合には終了判断ステップＳ１４へ進み、次の識別情報の有無を判断する。その結果、次の識別情報が有ればステップＳ１１に戻って一連の処理を繰り返し、次の識別情報が無ければ処理を終了する。【選択図】    図１
2005004818.tif 000002
【特許請求の範囲】
【請求項１】
映像情報や音声情報が記録されている記録媒体を再生する機能を有するとともに、その映像情報や音声情報に付与された識別情報の一覧を表示する機能を有するコンテンツ再生装置における一覧表示方法であって、
映像情報や音声情報に付与された識別情報を取得する識別情報取得ステップと、
前記識別情報取得ステップで取得した識別情報の類似性を判断する識別情報類似性判断ステップと、
一覧表示する際に、前記識別情報類似性判断ステップで非類似と判断された識別情報についてはそのまま表示させ、類似の判断をなされた識別情報については少なくとも一つ表示させる一覧表示設定ステップと
を有することを特徴とするコンテンツ再生装置における一覧表示方法。
【請求項２】
映像情報に付与された識別情報、もしくは音声情報に付与された識別情報、または映像情報および音声情報に付与された識別情報、のいずれかを一覧表示することを特徴とする請求項１記載のコンテンツ再生装置における一覧表示方法。
【請求項３】
請求項１もしくは２のいずれかに記載のコンテンツ再生装置における一覧表示方法であって、前記一覧表示設定ステップで表示設定された識別情報のすべてを所定の表示領域内で一覧表示できないことを条件に、識別情報の類似性を判断するための判断基準を変更する類似性判断基準変更ステップを有し、前記類似性判断基準変更ステップで得た新たな判断基準を用いて類似性を判断し直し、所定の表示領域内で一覧表示できるようにすることを特徴とするコンテンツ再生装置における一覧表示方法。
【請求項４】
請求項１乃至３のいずれかに記載のコンテンツ再生装置における一覧表示方法であって、表示させる識別情報を使用者が指定できる指定情報入力ステップを有し、前記指定情報入力ステップで指定された識別情報を前記一覧表示設定ステップによる設定に優先して表示することを特徴とするコンテンツ再生装置における一覧表示方法。
【請求項５】
請求項１乃至４のいずれかに記載のコンテンツ再生装置における一覧表示方法であって、識別情報の類似性を判断するための判断基準を使用者が入力できる類似性判断基準入力ステップを有することを特徴とするコンテンツ再生装置における一覧表示方法。
【請求項６】
請求項１乃至５のいずれかに記載のコンテンツ再生装置における一覧表示方法であって、一覧を表示する表示領域の大きさを基準にして、一覧表示の文字の大きさを変化させる文字サイズ変更ステップを有することを特徴とするコンテンツ再生装置における一覧表示方法。
【請求項７】
映像情報や音声情報およびその記録日時の情報が記録されている記録媒体を再生する機能を有するとともに、その映像情報や音声情報に付与された識別情報の一覧を表示する機能を有するコンテンツ再生装置における一覧表示方法であって、
映像情報や音声情報に付与された識別情報を取得する識別情報取得ステップと、
映像情報や音声情報の記録日時の情報を取得する記録日時情報取得ステップと、
前記記録日時情報取得ステップで取得した記録日時の近接性を判断する記録日時近接性判断ステップと、
一覧表示する際に、前記記録日時近接性判断ステップで近接していないと判断された記録日時の映像情報や音声情報に関してはその識別情報をそのまま表示させ、近接していると判断された記録日時の映像情報や音声情報に関してはその識別情報を少なくとも一つ表示させる一覧表示設定ステップと
を有することを特徴とするコンテンツ再生装置における一覧表示方法。
【請求項８】
映像情報に付与された識別情報、もしくは音声情報に付与された識別情報、または映像情報および音声情報に付与された識別情報、のいずれかを一覧表示することを特徴とする請求項７記載のコンテンツ再生装置における一覧表示方法。
【請求項９】
請求項７もしくは８のいずれかに記載のコンテンツ再生装置における一覧表示方法であって、前記一覧表示設定ステップで表示設定された識別情報のすべてを所定の表示領域内で一覧表示できないことを条件に、記録日時の近接性を判断するための判断基準を変更する近接性判断基準変更ステップを有し、前記近接性判断基準変更ステップで得た新たな判断基準を用いて近接性を判断し直し、所定の表示領域内で一覧表示できるようにすることを特徴とするコンテンツ再生装置における一覧表示方法。
【請求項１０】
請求項７乃至９のいずれかに記載のコンテンツ再生装置における一覧表示方法であって、記録日時を使用者が指定できる指定情報入力ステップを有し、前記指定情報入力ステップで指定された記録日時に記録された映像情報や音声情報の識別情報を前記一覧表示設定ステップによる設定に優先して表示することを特徴とするコンテンツ再生装置における一覧表示方法。
【請求項１１】
請求項７乃至１０のいずれかに記載のコンテンツ再生装置における一覧表示方法であって、記録日時の近接性を判断するための判断基準を使用者が入力できる近接性判断基準入力ステップを有することを特徴とするコンテンツ再生装置における一覧表示方法。
【請求項１２】
請求項７乃至１１のいずれかに記載のコンテンツ再生装置における一覧表示方法であって、一覧を表示する表示領域の大きさを基準にして、一覧表示の文字の大きさを変化させる文字サイズ変更ステップを有することを特徴とするコンテンツ再生装置における一覧表示方法。
【請求項１３】
映像情報や音声情報が記録されている記録媒体を再生する機能を有するとともに、その映像情報や音声情報に付与された識別情報の一覧を表示する機能を有するコンテンツ再生装置における一覧表示方法であって、
映像情報や音声情報に付与された識別情報を取得する識別情報取得ステップと、
前記識別情報取得ステップで取得した識別情報を表示設定する一覧表示設定ステップと、
一覧を表示する表示領域の大きさを基準にして、一覧表示の文字の大きさを変化させる文字サイズ変更ステップと
を有することを特徴とするコンテンツ再生装置における一覧表示方法。
【発明の詳細な説明】
【０００１】
【発明の属する技術分野】
本発明は、記録媒体に記録されている映像情報や音声情報などの識別情報を一覧表示するコンテンツ再生装置における一覧表示方法に関する。
【０００２】
【従来の技術】
従来、記録媒体に記録されている映像情報や音声情報などの識別情報を一覧表示する際には、すべてを一覧表示していた。また、所定の表示領域内で識別情報のすべてを一覧表示できないときには、複数の一覧に分割して表示していた（例えば、特許文献１参照。）。なお、ここで云う音声情報とは、それ自身で一つのコンテンツとなる情報であって、映像に付随する音声の情報を指すものではない（以下、同じ。）。
【０００３】
以下、従来のコンテンツ再生装置における一覧表示方法について、光ディスク（記録媒体）に記録されている映像情報（コンテンツ）を再生する光ディスク再生装置を例に説明する。
【０００４】
図１７は、従来の光ディスク再生装置における一覧表示設定処理の一例を示すフロー図である。なお、以下の動作は、光ディスク再生装置内蔵の制御手段が光ディスク再生装置を制御して行う。
【０００５】
光ディスク内に記録されている映像情報に付与された識別情報を一覧表示する際には、まずステップＳ１７１で映像情報に付与された識別情報を光ディスクから読み出して取得し（識別情報取得ステップ）、ステップＳ１７２でこの取得した識別情報を表示内容に設定し（一覧表示設定ステップ）、ステップＳ１７３で次の識別情報の有無を判断する（終了判断ステップ）。その結果、次の識別情報が有ればステップＳ１７１に戻って一連の処理を繰り返し、次の識別情報が無ければ処理を終了する。
【０００６】
続いて、以上の処理によって表示される一覧表示について、図１８を例に説明する。図１８に示す例では、各コンテンツ（映像情報）に付与されたタイトルが識別情報として一覧表示される。また、図１８に示す例では、一つの一覧につき最大で６件の識別情報を表示可能である（但し、識別情報１件につき１行とする。）。図１８に示すように、光ディスク内に２１件記録されているコンテンツのタイトル（識別情報）が一覧表示その１〜４となって分割表示される。
【０００７】
しかしながら、従来のコンテンツ再生装置における一覧表示方法では、記録媒体に記録されている映像情報や音声情報などの各コンテンツに付与された識別情報をすべて表示するため、コンテンツが多い場合には一覧表示が分割されてしまい、記録媒体に記録されているコンテンツを速やかに確認することができないという問題があった。
【０００８】
【特許文献１】
登録実用新案第３０８６６９８号公報
【０００９】
【発明が解決しようとする課題】
本発明は、上記問題点を解決するために、識別情報の類似性を判断し、一覧表示する際に、非類似と判断された識別情報についてはそのまま表示させ、類似の判断をなされた識別情報については少なくとも一つ表示させることにより、識別情報の表示件数を少なくでき、記録媒体に記録されている映像情報や音声情報の確認が容易に行えるようになるコンテンツ再生装置における一覧表示方法を提供することを目的とする。
【００１０】
また、映像情報や音声情報の記録日時の近接性を判断し、一覧表示する際に、記録日時が近接していないと判断された映像情報や音声情報に関してはその識別情報をそのまま表示させ、記録日時が近接していると判断された映像情報や音声情報に関してはその識別情報を少なくとも一つ表示させることにより、識別情報の表示件数を少なくでき、記録媒体に記録されている映像情報や音声情報の確認が容易に行えるようになるコンテンツ再生装置における一覧表示方法を提供することを目的とする。
【００１１】
また、一覧を表示する表示領域の大きさを基準にして、一覧表示の文字の大きさを変化させることにより、情報量を削減することなく、記録媒体に記録されている映像情報や音声情報を一つの一覧表示で確認できるようになるコンテンツ再生装置における一覧表示方法を提供することを目的とする。なお、文字には、数字や記号等も含まれるものとする（以下、同じ）。
【００１２】
【課題を解決するための手段】
本発明の請求項１記載のコンテンツ再生装置における一覧表示方法は、映像情報や音声情報が記録されている記録媒体を再生する機能を有するとともに、その映像情報や音声情報に付与された識別情報の一覧を表示する機能を有するコンテンツ再生装置における一覧表示方法であって、映像情報や音声情報に付与された識別情報を取得する識別情報取得ステップと、前記識別情報取得ステップで取得した識別情報の類似性を判断する識別情報類似性判断ステップと、一覧表示する際に、前記識別情報類似性判断ステップで非類似と判断された識別情報についてはそのまま表示させ、類似の判断をなされた識別情報については少なくとも一つ表示させる一覧表示設定ステップとを有することを特徴とする。
【００１３】
また、本発明の請求項２記載のコンテンツ再生装置における一覧表示方法は、請求項１記載のコンテンツ再生装置における一覧表示方法であって、映像情報に付与された識別情報、もしくは音声情報に付与された識別情報、または映像情報および音声情報に付与された識別情報、のいずれかを一覧表示することを特徴とする。
【００１４】
また、本発明の請求項３記載のコンテンツ再生装置における一覧表示方法は、請求項１もしくは２のいずれかに記載のコンテンツ再生装置における一覧表示方法であって、前記一覧表示設定ステップで表示設定された識別情報のすべてを所定の表示領域内で一覧表示できないことを条件に、識別情報の類似性を判断するための判断基準を変更する類似性判断基準変更ステップを有し、前記類似性判断基準変更ステップで得た新たな判断基準を用いて類似性を判断し直し、所定の表示領域内で一覧表示できるようにすることを特徴とする。
【００１５】
また、本発明の請求項４記載のコンテンツ再生装置における一覧表示方法は、請求項１乃至３のいずれかに記載のコンテンツ再生装置における一覧表示方法であって、表示させる識別情報を使用者が指定できる指定情報入力ステップを有し、前記指定情報入力ステップで指定された識別情報を前記一覧表示設定ステップによる設定に優先して表示することを特徴とする。
【００１６】
また、本発明の請求項５記載のコンテンツ再生装置における一覧表示方法は、請求項１乃至４のいずれかに記載のコンテンツ再生装置における一覧表示方法であって、識別情報の類似性を判断するための判断基準を使用者が入力できる類似性判断基準入力ステップを有することを特徴とする。
【００１７】
また、本発明の請求項６記載のコンテンツ再生装置における一覧表示方法は、請求項１乃至５のいずれかに記載のコンテンツ再生装置における一覧表示方法であって、一覧を表示する表示領域の大きさを基準にして、一覧表示の文字の大きさを変化させる文字サイズ変更ステップを有することを特徴とする。
【００１８】
また、本発明の請求項７記載のコンテンツ再生装置における一覧表示方法は、映像情報や音声情報およびその記録日時の情報が記録されている記録媒体を再生する機能を有するとともに、その映像情報や音声情報に付与された識別情報の一覧を表示する機能を有するコンテンツ再生装置における一覧表示方法であって、映像情報や音声情報に付与された識別情報を取得する識別情報取得ステップと、映像情報や音声情報の記録日時の情報を取得する記録日時情報取得ステップと、前記記録日時情報取得ステップで取得した記録日時の近接性を判断する記録日時近接性判断ステップと、一覧表示する際に、前記記録日時近接性判断ステップで近接していないと判断された記録日時の映像情報や音声情報に関してはその識別情報をそのまま表示させ、近接していると判断された記録日時の映像情報や音声情報に関してはその識別情報を少なくとも一つ表示させる一覧表示設定ステップとを有することを特徴とする。
【００１９】
また、本発明の請求項８記載のコンテンツ再生装置における一覧表示方法は、請求項７記載のコンテンツ再生装置における一覧表示方法であって、映像情報に付与された識別情報、もしくは音声情報に付与された識別情報、または映像情報および音声情報に付与された識別情報、のいずれかを一覧表示することを特徴とする。
【００２０】
また、本発明の請求項９記載のコンテンツ再生装置における一覧表示方法は、請求項７もしくは８のいずれかに記載のコンテンツ再生装置における一覧表示方法であって、前記一覧表示設定ステップで表示設定された識別情報のすべてを所定の表示領域内で一覧表示できないことを条件に、記録日時の近接性を判断するための判断基準を変更する近接性判断基準変更ステップを有し、前記近接性判断基準変更ステップで得た新たな判断基準を用いて近接性を判断し直し、所定の表示領域内で一覧表示できるようにすることを特徴とする。
【００２１】
また、本発明の請求項１０記載のコンテンツ再生装置における一覧表示方法は、請求項７乃至９のいずれかに記載のコンテンツ再生装置における一覧表示方法であって、記録日時を使用者が指定できる指定情報入力ステップを有し、前記指定情報入力ステップで指定された記録日時に記録された映像情報や音声情報の識別情報を前記一覧表示設定ステップによる設定に優先して表示することを特徴とする。
【００２２】
また、本発明の請求項１１記載のコンテンツ再生装置における一覧表示方法は、請求項７乃至１０のいずれかに記載のコンテンツ再生装置における一覧表示方法であって、記録日時の近接性を判断するための判断基準を使用者が入力できる近接性判断基準入力ステップを有することを特徴とする。
【００２３】
また、本発明の請求項１２記載のコンテンツ再生装置における一覧表示方法は、請求項７乃至１１のいずれかに記載のコンテンツ再生装置における一覧表示方法であって、一覧を表示する表示領域の大きさを基準にして、一覧表示の文字の大きさを変化させる文字サイズ変更ステップを有することを特徴とする。
【００２４】
また、本発明の請求項１３記載のコンテンツ再生装置における一覧表示方法は、映像情報や音声情報が記録されている記録媒体を再生する機能を有するとともに、その映像情報や音声情報に付与された識別情報の一覧を表示する機能を有するコンテンツ再生装置における一覧表示方法であって、映像情報や音声情報に付与された識別情報を取得する識別情報取得ステップと、前記識別情報取得ステップで取得した識別情報を表示設定する一覧表示設定ステップと、一覧を表示する表示領域の大きさを基準にして、一覧表示の文字の大きさを変化させる文字サイズ変更ステップとを有することを特徴とする。
【００２５】
本発明によれば、識別情報の類似性を判断し、一覧表示する際に、非類似と判断された識別情報についてはそのまま表示させ、類似の判断をなされた識別情報については少なくとも一つ表示させるので、識別情報の表示件数を少なくでき、記録媒体に記録されている映像情報や音声情報の確認が容易に行えるようになる。
【００２６】
また、本発明によれば、類似性を判断して表示設定した識別情報のすべてを所定の表示領域内で一覧表示できないことを条件に、類似性を判断する判断基準を変更し、この新たな判断基準を用いて類似性を判断し直し、表示設定した識別情報のすべてを所定の表示領域内で一覧表示できるようにするので、表示設定した識別情報のすべてを所定の表示領域内で一覧表示できるようになり、記録媒体に記録されている映像情報や音声情報の確認が非常に容易に行えるようになる。
【００２７】
また、本発明によれば、指定された識別情報を類似性の判断に優先して表示させるので、類似性があっても表示させたい識別情報を使用者が指定できるようになり、利便性が向上する。例えば、目的の映像情報や音声情報が記録媒体に記録されていることを確認したい場合に、識別情報を指定して表示させることができる。
【００２８】
また、本発明によれば、識別情報の類似性を判断するための判断基準を使用者が入力できるので、類似性の判断基準を使用者が設定でき、使用者が希望する一覧を表示させることができるようになり、利便性が向上する。
【００２９】
また、本発明によれば、映像情報や音声情報の記録日時の近接性を判断し、一覧表示する際に、記録日時が近接していないと判断された映像情報や音声情報に関してはその識別情報をそのまま表示させ、記録日時が近接していると判断された映像情報や音声情報に関してはその識別情報を少なくとも一つ表示させるので、識別情報の表示件数を少なくでき、記録媒体に記録されている映像情報や音声情報の確認が容易に行えるようになる。
【００３０】
また、本発明によれば、記録日時の近接性を判断して表示設定した識別情報のすべてを所定の表示領域内で一覧表示できないことを条件に、記録日時の近接性を判断する判断基準を変更し、この新たな判断基準を用いて記録日時の近接性を判断し直し、表示設定した識別情報のすべてを所定の表示領域内で一覧表示できるようにするので、表示設定した識別情報のすべてを所定の表示領域内で一覧表示できるようになり、記録媒体に記録されている映像情報や音声情報の確認が非常に容易に行えるようになる。
【００３１】
また、本発明によれば、指定された記録日時に記録された映像情報や音声情報の識別情報を近接性の判断に優先して表示させるので、記録日時に近接性があっても表示させたい識別情報を記録日時の点から使用者が指定でき、利便性が向上する。例えば、目的の映像情報や音声情報が記録媒体に記録されていることを確認したい場合に、記録日時を指定して表示させることができる。
【００３２】
また、本発明によれば、記録日時の近接性を判断するための判断基準を使用者が入力できるので、記録日時の近接性の判断基準を使用者が設定でき、使用者が希望する一覧を表示させることができるようになり、利便性が向上する。
【００３３】
また、本発明によれば、一覧を表示する表示領域の大きさを基準にして、一覧表示の文字の大きさを変化させるので、記録媒体に記録されている映像情報や音声情報が多い場合であっても、情報量を削減することなく、記録媒体に記録されている映像情報や音声情報を一つの一覧表示で確認できるようになる。さらに、記録媒体に記録されている映像情報や音声情報が少ない場合には、文字が大きくなるので、見やすい一覧表示となる。
【００３４】
【発明の実施の形態】
以下、本発明のコンテンツ再生装置における一覧表示方法について、光ディスク（記録媒体）に記録されている映像情報（コンテンツ）を再生する光ディスク再生装置を例に説明する。
【００３５】
なお、無論、本発明は光ディスク再生装置に限られるものではなく、記録媒体に記録されたコンテンツを再生するコンテンツ再生装置であれば適用可能である。また、光ディスクに映像情報が記録されている場合を例に説明するが、無論、音声情報や、映像情報および音声情報が記録されている場合であっても同様である。
【００３６】
（実施の形態１）
以下、本発明の実施の形態１について、図１、２を用いて説明する。
図１は、本実施の形態１に係る光ディスク再生装置における一覧表示設定処理の一例を示すフロー図である。なお、以下の動作は、光ディスク再生装置内蔵の制御手段が光ディスク再生装置を制御して行う。
【００３７】
光ディスク内に記録されている映像情報に付与された識別情報を一覧表示する際には、まずステップＳ１１で、映像情報に付与された識別情報を光ディスクから読み出して取得し（識別情報取得ステップ）、ステップＳ１２で、この取得した識別情報が既に取得した識別情報と類似しているか否かを判断し（識別情報類似性判断ステップ）、その結果、非類似と判断された場合にはステップＳ１３へ進み、この取得した識別情報を表示内容に設定する（一覧表示設定ステップ）。類似の判断がなされた場合には、ステップＳ１４へ進み、次の識別情報の有無を判断する（終了判断ステップ）。その結果、次の識別情報が有ればステップＳ１１に戻って一連の処理を繰り返し、次の識別情報が無ければ処理を終了する。
【００３８】
続いて、以上の処理によって表示される一覧表示について、図２を例に説明する。図２に示す例では、各コンテンツ（映像情報）に付与されたタイトルが識別情報として一覧表示される。また、図２に示す例では、一つの一覧につき最大で６件の識別情報を表示可能である（但し、識別情報１件につき１行とする。）。
【００３９】
この場合、図２に示すように各タイトル（識別情報）の末尾に同じ文字列が複数存在することから、タイトルの末尾２文字を類似性の判断基準として一覧表示設定処理を行う。つまり、取得したタイトルの末尾２文字が既に取得したタイトルの末尾２文字と同じかどうかを判断していき、違う場合、つまり非類似と判断されるタイトルについてはそのまま表示内容に設定し、同じ場合、つまり類似していると判断されるものついては、１番先に取得したタイトルのみを表示内容に設定する。その結果、図２に示すように、光ディスク内に２１件記録されているコンテンツのタイトル（識別情報）のうちの８件が表示設定され、一覧表示その１、その２となる。
【００４０】
以上のように、識別情報の類似性の点から自動的に選択して一覧表示することにより、表示件数を少なくすることができるので、一覧表示の数を減らすことができ、記録媒体に記録されている映像情報や音声情報の確認が容易に行えるようになる。
【００４１】
なお、図２に示すように複数の一覧表示に分割することなくスクロール表示する場合であっても、表示件数を少なくできるので、記録媒体に記録されている映像情報や音声情報の確認が容易に行えるようになる。
【００４２】
（実施の形態２）
続いて、本発明の実施の形態２について、図３、４を用いて説明する。
図３は、本実施の形態２に係る光ディスク再生装置における一覧表示設定処理の一例を示すフロー図である。なお、図３に示すステップＳ３１〜Ｓ３４は、図１に示すステップＳ１１〜Ｓ１４と同一の内容である。実施の形態１と異なる点は、一覧表示設定ステップで表示内容に設定された識別情報のすべてを所定の表示領域内で一覧表示できないことを条件に、識別情報の類似性を判断する判断基準を変更して類似性を判断し直し、表示内容に設定された識別情報のすべてを所定の表示領域内で一覧表示できるようにする点にある。
【００４３】
なお、以下の動作は、光ディスク再生装置内蔵の制御手段が光ディスク再生装置を制御して行う。
まず、ステップＳ３１〜Ｓ３４で、光ディスク内に記録されているすべての識別情報について類似性を判断し、表示内容の設定を行った後、ステップＳ３５で、表示設定された識別情報のすべてを所定の表示領域内で一覧表示できるか否かについて判断する。その結果、所定の表示領域内で一覧表示できる場合には処理を終了する。所定の表示領域内で一覧表示できない場合には、ステップＳ３６へ進み、識別情報の類似性を判断するための判断基準を変更し（類似性判断基準変更ステップ）、ステップＳ３１に戻ってステップＳ３１〜Ｓ３４の処理を再度行い、表示設定された識別情報のすべてを所定の表示領域内で一覧表示できるようにする。
【００４４】
なお、所定の表示領域が固定されている場合には、その表示領域の大きさを基準にして、所定の表示領域内で一覧表示できるか否かの判断を行う。また、所定の表示領域が可変の場合、例えば、設定される表示件数に応じて表示領域が変化する場合には、一覧表示設定ステップで表示設定された識別情報の件数で判断を行う。
【００４５】
続いて、以上の処理によって表示される一覧表示について、図４を例に説明する。図４に示す例では、実施の形態１と同様に、各コンテンツ（映像情報）に付与されたタイトルが識別情報として一覧表示される。また、所定の表示領域として、一つの一覧につき最大で６件の識別情報を表示可能な領域が設定されている（但し、識別情報１件につき１行とする。）。
【００４６】
この場合、図４に示すように各タイトル（識別情報）の末尾に同じ文字列が複数存在することから、まず、実施の形態１と同様にタイトルの末尾２文字を類似性の判断基準としてステップＳ３１〜Ｓ３４の処理を行う。その結果、実施の形態１で説明したように、光ディスク内に２１件記録されているコンテンツのタイトル（識別情報）のうちの８件が表示設定され、二つの一覧表示に分割される（図２参照。）。
【００４７】
そこで本実施の形態２では、表示設定された識別情報のすべてが一つの一覧（所定の表示領域）に収まるように類似性の判断基準を変更する。ここでは、類似性の判断基準をタイトル（識別情報）の末尾１文字に変更し、再度、ステップＳ３１〜Ｓ３４の処理を行う。その結果、図４に示すように、光ディスク内に２１件記録されているコンテンツのタイトル（識別情報）のうちの６件が表示設定され、一つの一覧表示となる。
【００４８】
以上のように、自動的に選択した識別情報のすべてを所定の表示領域内で一覧表示できないことを条件に、類似性の判断基準を自動的に変更して選択し直し、自動的に選択した識別情報のすべてを所定の表示領域内で一覧表示できるようにすることにより、記録媒体に記録されている映像情報や音声情報の確認が非常に容易に行えるようになる。
【００４９】
なお、複数の一覧表示に分割することなくスクロール表示する場合には、予め表示領域を設定しておけばよい。このようにすれば、上述したように記録媒体に記録されている映像情報や音声情報の確認が非常に容易に行えるようになる。
【００５０】
（実施の形態３）
続いて、本発明の実施の形態３について、図５、６を用いて説明する。
図５は、本実施の形態３に係る光ディスク再生装置における一覧表示設定処理の一例を示すフロー図である。なお、図５に示すステップＳ５２、Ｓ５４〜Ｓ５６は、図１に示すステップＳ１１〜Ｓ１４と同一の内容である。実施の形態１と異なる点は、表示させる識別情報を使用者が指定できる指定情報入力ステップを有し、このステップで指定された識別情報を、類似性の判断に優先して表示させる点にある。
【００５１】
なお、以下の動作は、光ディスク再生装置内蔵の制御手段が光ディスク再生装置を制御して行う。
まず、指定情報入力ステップＳ５１で使用者により指定情報が入力された後、識別情報取得ステップＳ５２以下の処理が開始される。ステップＳ５２で識別情報を取得すると、次にこの識別情報に指定情報が含まれるか否かを判断し（ステップＳ５３）、指定情報が含まれる場合には、一覧表示設定ステップＳ５５へ進み、表示内容に設定する。指定情報が含まれない場合には、ステップＳ５４へ進み、類似性の判断を行う。
【００５２】
続いて、以上の処理によって表示される一覧表示について、図６を例に説明する。図６に示す例では、実施の形態１と同様に、各コンテンツ（映像情報）に付与されたタイトルが識別情報として一覧表示され、一つの一覧につき最大で６件の識別情報を表示可能である（但し、識別情報１件につき１行とする。）。
【００５３】
また、指定情報として、「合戦」が指定されるものとする。
この場合、図６に示すように各タイトル（識別情報）の末尾に同じ文字列が複数存在することから、実施の形態１と同様にタイトルの末尾２文字を判断基準として類似性の判断を行う。実施の形態１では、「１６．みんなで応援合戦」、「１７．紅白歌合戦」、「１８．猿蟹合戦」の末尾２文字に同じ文字列が存在するので、「１６．みんなで応援合戦」のみが表示されたが（図２の一覧表示その１、その２を参照。）、本実施の形態３では、指定情報として「合戦」が指定されているので、「合戦」を含む識別情報は類似性の判断に優先して表示設定される。つまり、実施の形態３では、「１６．みんなで応援合戦」、「１７．紅白歌合戦」、「１８．猿蟹合戦」のすべてが表示される（図６の一覧表示その１、その２を参照。）。
【００５４】
以上のように、指定した情報が含まれる識別情報は類似性があっても一覧表示することにより、例えば、目的の映像情報や音声情報が記録媒体に記録されていることを確認したい場合に、指定して表示させることができる。
【００５５】
（実施の形態４）
続いて、本発明の実施の形態４について、図７、８を用いて説明する。
図７は、本実施の形態４に係る光ディスク再生装置における一覧表示設定処理の一例を示すフロー図である。なお、図７に示すステップＳ７２〜Ｓ７５は、図１に示すステップＳ１１〜Ｓ１４と同一の内容である。実施の形態１と異なる点は、識別情報の類似性を判断するための判断基準を使用者が入力できる類似性判断基準入力ステップを有する点にある。
【００５６】
なお、以下の動作は、光ディスク再生装置内蔵の制御手段が光ディスク再生装置を制御して行う。
まず、類似性判断基準入力ステップＳ７１で、使用者により類似性の判断基準が入力された後、ステップＳ７２〜Ｓ７５で、光ディスク内に記録されているすべての識別情報について類似性を判断し、表示内容の設定を行う。
【００５７】
図８は、識別情報の末尾１文字を類似性の判断基準とする入力がなされた場合の表示例を示している。
以上のように、使用者が類似性の判断基準を設定できるので、使用者にとって必要な一覧表示を得ることができるようになり、自動的に作成された一覧表示に満足できない場合などに有効となる。
【００５８】
なお、実施の形態１〜４では、類似の判断をなされた識別情報のうちの１つを表示内容に設定する例について説明したが、無論１つ以上であってもよい。また、類似の判断をなされた識別情報のうちの一番先に取得された識別情報を表示内容に設定する例について説明したが、無論これに限るものではない。また、類似性の判断基準は、記録媒体ごとに自動設定するようにしてもよいし、予め設定しておいてもよい。
【００５９】
（実施の形態５）
続いて、本発明の実施の形態５について、図９、１０を用いて説明する。
図９は、本実施の形態５に係る光ディスク再生装置における一覧表示設定処理の一例を示すフロー図である。なお、以下の動作は、光ディスク再生装置内蔵の制御手段が光ディスク再生装置を制御して行う。
【００６０】
光ディスク内に記録されている映像情報に付与された識別情報を一覧表示する際には、まずステップＳ９１で映像情報に付与された識別情報を光ディスクから読み出して取得するとともに（識別情報取得ステップ）、ステップＳ９２でその映像情報に付与された記録日時の情報も取得する（記録日時情報取得ステップ）。そして、ステップＳ９３で、この取得した記録日時と既に取得した記録日時の近接性を判断し（記録日時近接性判断ステップ）、その結果、近接していないと判断された場合にはステップＳ９４へ進み、その識別情報を表示内容に設定する（一覧表示設定ステップ）。近接していると判断された場合にはステップＳ９５へ進み、次の識別情報の有無を判断する（終了判断ステップ）。その結果、次の識別情報が有ればステップＳ９１に戻って一連の処理を繰り返し、次の識別情報が無ければ処理を終了する。
【００６１】
続いて、以上の処理によって表示される一覧表示について、図１０を例に説明する。図１０に示す例では、各コンテンツ（映像情報）に付与されたタイトルが識別情報として一覧表示される。また、図１０に示す例では、一つの一覧につき最大で６件の識別情報を表示可能である（但し、識別情報１件につき１行とする。）。
【００６２】
この場合、図１０に示すように各コンテンツの記録日時の年月日が同じであることから、前回取得した記録日時との差が１５分以内かどうかを近接性の判断基準として一覧表示設定処理を行う。つまり、取得したタイトルのコンテンツが記録された日時と前回取得したタイトルのコンテンツが記録された日時との差が１５分以内かどうかを判断していき、１５分以内であれば近接していると判断して表示設定せず、１５分を越えていれば近接していないと判断して表示設定する。その結果、図１０に示すように、光ディスク内に２１件記録されているコンテンツのタイトル（識別情報）のうちの１２件が表示設定され、一覧表示その１、その２となる。
【００６３】
以上のように、記録日時の近接性の点から自動的に選択して一覧表示することにより、表示件数を少なくすることができるので、一覧表示の数を減らすことができ、記録媒体に記録されている映像情報や音声情報の確認が容易に行えるようになる。
【００６４】
なお、図１０に示すように複数の一覧表示に分割することなくスクロール表示する場合であっても、表示件数を少なくできるので、記録媒体に記録されている映像情報や音声情報の確認が容易に行えるようになる。
【００６５】
（実施の形態６）
続いて、本発明の実施の形態６について、図１１、１２を用いて説明する。
図１１は、本実施の形態６に係る光ディスク再生装置における一覧表示設定処理の一例を示すフロー図である。なお、図１１に示すステップＳ１１１〜Ｓ１１５は、図９に示すステップＳ９１〜Ｓ９５と同一の内容である。実施の形態５と異なる点は、一覧表示設定ステップで表示内容に設定された識別情報のすべてを所定の表示領域内で一覧表示できないことを条件に、記録日時の近接性を判断する判断基準を変更して近接性を判断し直し、表示内容に設定された識別情報のすべてを所定の表示領域内で一覧表示できるようにする点にある。
【００６６】
なお、以下の動作は、光ディスク再生装置内蔵の制御手段が光ディスク再生装置を制御して行う。
まず、ステップＳ１１１〜Ｓ１１５で、光ディスク内に記録されているすべての記録日時について近接性を判断し、表示内容の設定を行った後、ステップＳ１１６で、表示設定された識別情報のすべてを所定の表示領域内で一覧表示できるか否かについて判断する。その結果、所定の表示領域内で一覧表示できる場合には処理を終了する。所定の表示領域内で一覧表示できない場合には、ステップＳ１１７へ進み、記録日時の近接性を判断するための判断基準を変更し（近接性判断基準変更ステップ）、ステップＳ１１１に戻ってステップＳ１１１〜Ｓ１１５の処理を再度行い、表示設定された識別情報のすべてを所定の表示領域内で一覧表示できるようにする。
【００６７】
なお、所定の表示領域が固定されている場合には、その表示領域の大きさを基準にして、所定の表示領域内で一覧表示できるか否かの判断を行う。また、所定の表示領域が可変の場合、例えば、設定される表示件数に応じて表示領域が変化する場合には、一覧表示設定ステップで表示設定された識別情報の件数で判断を行う。
【００６８】
続いて、以上の処理によって表示される一覧表示について、図１２を例に説明する。図１２に示す例では、実施の形態５と同様に、各コンテンツ（映像情報）に付与されたタイトルが識別情報として一覧表示される。また、所定の表示領域として、一つの一覧につき最大で６件の識別情報を表示可能な領域が設定されている（但し、識別情報１件につき１行とする。）。
【００６９】
この場合、図１２に示すように各コンテンツの記録日時の年月日が同じであることから、まず、実施の形態５と同様に前回取得した記録日時との差が１５分以内かどうかを近接性の判断基準としてステップＳ１１１〜Ｓ１１５の処理を行う。その結果、実施の形態５で説明したように、光ディスク内に２１件記録されているコンテンツのタイトル（識別情報）のうちの１２件が表示設定され、二つの一覧表示に分割される（図１０参照。）。
【００７０】
そこで本実施の形態６では、表示設定された識別情報のすべてが一つの一覧（所定の表示領域）に収まるように近接性の判断基準を変更する。ここでは、近接性の判断基準を前回取得した記録日時との差が３０分以内かどうかに変更し、再度、ステップＳ１１１〜Ｓ１１５の処理を行う。その結果、図１２に示すように、光ディスク内に２１件記録されているコンテンツのタイトル（識別情報）のうちの６件が表示設定され、一つの一覧表示となる。
【００７１】
以上のように、自動的に選択した識別情報のすべてを所定の表示領域内で一覧表示できないことを条件に、近接性の判断基準を自動的に変更して選択し直し、自動的に選択したすべての識別情報を所定の表示領域内で一覧表示できるようにすることにより、記録媒体に記録されている映像情報や音声情報の確認が非常に容易に行えるようになる。
【００７２】
なお、複数の一覧表示に分割することなくスクロール表示する場合には、予め表示領域を設定しておけばよい。このようにすれば、上述したように記録媒体に記録されている映像情報や音声情報の確認が非常に容易に行えるようになる。
【００７３】
また、表示させる識別情報について記録日時の点から使用者が指定できる指定情報入力ステップを設け、このステップで指定された記録日時の映像情報や音声情報に関してはその識別情報を近接性の判断に優先して表示するようにしてもよい。例えば、指定情報として「２００２年１０月１０日１０：００〜２００２年１０月１０日１１：００」を指定すれば、この指定した記録日時の映像情報の識別情報を近接性の判断に優先して表示させることができる。このようにすれば、指定した記録日時の映像情報に関しては、記録日時が近接していても識別情報を表示設定するので、例えば、目的の映像情報や音声情報が記録媒体に記録されていることを確認したい場合に、記録日時を指定して表示させることができる。
【００７４】
また、実施の形態３と同様に、表示させる識別情報を使用者が指定できるようにして、この指定された識別情報については近接性の判断に優先して表示するようにしてもよい。
【００７５】
また、近接性を判断するための判断基準を使用者が入力できる近接性判断基準入力ステップを設けるようにしてもよい。このようにすれば、使用者が近接性の判断基準を設定できるので、使用者にとって必要な一覧表示を得ることができるようになり、自動的に作成された一覧表示に満足できない場合などに有効となる。
【００７６】
なお、実施の形態５、６では、前回取得した記録日時との差を判断基準として記録日時の近接性を判断したが、その他の判断方法として、例えば、取得した記録日時との差が所定の時間を越える記録日時の情報を取得するまで、その記録日時を用いて近接性の判断を行うようにしてもよい。また、近接性の判断基準は、記録媒体ごとに自動設定するようにしてもよいし、予め設定しておいてもよい。
【００７７】
（実施の形態７）
続いて、本発明の実施の形態７について、図１３、１４を用いて説明する。前述した実施の形態２や実施の形態６では、表示設定された識別情報のすべてを所定の表示領域内で表示するために、類似性や近接性の判断基準の変更を行ったが、本実施の形態７では、文字のサイズを変更することにより、所定の表示領域内に表示できるようにする。
【００７８】
図１３は、本実施の形態７に係る光ディスク再生装置における一覧表示設定処理の一例を示すフロー図である。なお、以下の動作は、光ディスク再生装置内蔵の制御手段が光ディスク再生装置を制御して行う。
【００７９】
例えば、実施の形態１で説明した処理により、光ディスク内に記録されているすべての識別情報について類似性を判断し、表示内容の設定を行った後、ステップＳ１３１で、表示設定された識別情報のすべてを所定の表示領域内で一覧表示できるか否かについて判断する。その結果、所定の表示領域内で一覧表示できる場合には処理を終了する。所定の表示領域内で一覧表示できない場合には、ステップＳ１３２へ進み、表示設定された識別情報のすべてを所定の表示領域内で一覧表示できるように、表示領域の大きさを基準にして文字のサイズを変更する（文字サイズ変更ステップ）。
【００８０】
図１４に示す例では、二つに分割された一覧表示を、文字のサイズを変更することで一つの一覧表示にしている。
なお、所定の表示領域が固定されている場合には、その表示領域の大きさを基準にして文字のサイズを変更する。また、所定の表示領域が可変の場合や、複数の一覧表示に分割することなくスクロール表示する場合には、予め表示領域を設定しておけばよい。
【００８１】
以上のように、表示する情報数を削減せずに、記録媒体に記録されている映像情報や音声情報を一つの一覧表示での確認できるようになる。
また、図１５、１６に示すように、所定の表示領域に余裕があるか否かについて判断し（ステップＳ１５１）、余裕がある場合には、所定の表示領域の大きさを基準にしてその分文字のサイズを大きくするようにしてもよい（ステップＳ１５２）。このようにすれば、一覧表示を見やすいものにすることができる。
【００８２】
また、この文字サイズ変更ステップは、本実施の形態７のように他の実施の形態と組み合わせて用いるようにしてもよいし、単独で用いるようにしてもよい。つまり、例えば、図２等で示す２１件の識別情報を、文字サイズを変更して所定の表示領域内に収めるようにしてもよい。
【００８３】
【発明の効果】
以上のように、本発明によれば、識別情報の類似性を判断し、一覧表示する際に、非類似と判断された識別情報についてはそのまま表示させ、類似の判断をなされた識別情報については少なくとも一つ表示させるので、識別情報の表示件数を少なくでき、記録媒体に記録されている映像情報や音声情報の確認が容易に行えるようになる。
【００８４】
また、類似性を判断して表示設定した識別情報のすべてを所定の表示領域内で一覧表示できないことを条件に、類似性を判断する判断基準を変更し、この新たな判断基準を用いて類似性を判断し直し、表示設定した識別情報のすべてを所定の表示領域内で一覧表示できるようにするので、表示設定した識別情報のすべてを所定の表示領域内で一覧表示できるようになり、記録媒体に記録されている映像情報や音声情報の確認が非常に容易に行えるようになる。
【００８５】
また、指定された識別情報を類似性の判断に優先して表示させるので、類似性があっても表示させたい識別情報を使用者が指定できるようになり、利便性が向上する。例えば、目的の映像情報や音声情報が記録媒体に記録されていることを確認したい場合に、識別情報を指定して表示させることができる。
【００８６】
また、識別情報の類似性を判断するための判断基準を使用者が入力できるので、類似性の判断基準を使用者が設定でき、使用者が希望する一覧を表示させることができるようになり、利便性が向上する。
【００８７】
また、識別情報の類似性を判断して表示設定した識別情報のすべてを所定の表示領域内で一覧表示できないことを条件に、所定の表示領域内で一覧表示できるように文字の大きさを変化させるので、情報量を削減することなく、表示設定した識別情報のすべてを所定の表示領域内で一覧表示できるようになる。
【００８８】
また、映像情報や音声情報の記録日時の近接性を判断し、一覧表示する際に、記録日時が近接していないと判断された映像情報や音声情報に関してはその識別情報をそのまま表示させ、記録日時が近接していると判断された映像情報や音声情報に関してはその識別情報を少なくとも一つ表示させるので、識別情報の表示件数を少なくでき、記録媒体に記録されている映像情報や音声情報の確認が容易に行えるようになる。
【００８９】
また、記録日時の近接性を判断して表示設定した識別情報のすべてを所定の表示領域内で一覧表示できないことを条件に、記録日時の近接性を判断する判断基準を変更し、この新たな判断基準を用いて記録日時の近接性を判断し直し、表示設定した識別情報のすべてを所定の表示領域内で一覧表示できるようにするので、表示設定した識別情報のすべてを所定の表示領域内で一覧表示できるようになり、記録媒体に記録されている映像情報や音声情報の確認が非常に容易に行えるようになる。
【００９０】
また、指定された記録日時に記録された映像情報や音声情報の識別情報を近接性の判断に優先して表示させるので、記録日時に近接性があっても表示させたい識別情報を記録日時の点から使用者が指定でき、利便性が向上する。例えば、目的の映像情報や音声情報が記録媒体に記録されていることを確認したい場合に、記録日時を指定して表示させることができる。
【００９１】
また、記録日時の近接性を判断するための判断基準を使用者が入力できるので、記録日時の近接性の判断基準を使用者が設定でき、使用者が希望する一覧を表示させることができるようになり、利便性が向上する。
【００９２】
また、記録日時の近接性を判断して表示設定した識別情報のすべてを所定の表示領域内で一覧表示できないことを条件に、所定の表示領域内で一覧表示できるように文字の大きさを変化させるので、情報量を削減することなく、表示設定した識別情報のすべてを所定の表示領域内で一覧表示できるようになる。
【００９３】
また、一覧を表示する表示領域の大きさを基準にして、一覧表示の文字の大きさを変化させるので、記録媒体に記録されている映像情報や音声情報が多い場合であっても、情報量を削減することなく、記録媒体に記録されている映像情報や音声情報を一つの一覧表示で確認できるようになる。さらに、記録媒体に記録されている映像情報や音声情報が少ない場合には、文字が大きくなるので、見やすい一覧表示となる。
【図面の簡単な説明】
【図１】本発明の実施の形態１に係る光ディスク再生装置における一覧表示設定処理の一例を示すフロー図
【図２】本発明の実施の形態１における一覧表示の例を示す図
【図３】本発明の実施の形態２に係る光ディスク再生装置における一覧表示設定処理の一例を示すフロー図
【図４】本発明の実施の形態２における一覧表示の例を示す図
【図５】本発明の実施の形態３に係る光ディスク再生装置における一覧表示設定処理の一例を示すフロー図
【図６】本発明の実施の形態３における一覧表示の例を示す図
【図７】本発明の実施の形態４に係る光ディスク再生装置における一覧表示設定処理の一例を示すフロー図
【図８】本発明の実施の形態４における一覧表示の例を示す図
【図９】本発明の実施の形態５に係る光ディスク再生装置における一覧表示設定処理の一例を示すフロー図
【図１０】本発明の実施の形態５における一覧表示の例を示す図
【図１１】本発明の実施の形態６に係る光ディスク再生装置における一覧表示設定処理の一例を示すフロー図
【図１２】本発明の実施の形態６における一覧表示の例を示す図
【図１３】本発明の実施の形態７に係る光ディスク再生装置における一覧表示設定処理の一例を示すフロー図
【図１４】本発明の実施の形態７における一覧表示の例を示す図
【図１５】本発明の実施の形態７に係る光ディスク再生装置における一覧表示設定処理の一例を示すフロー図
【図１６】本発明の実施の形態７における一覧表示の例を示す図
【図１７】従来の光ディスク再生装置における一覧表示設定処理の一例を示すフロー図
【図１８】従来の一覧表示の例を示す図
【図１】
2005004818.tif 000003
【図２】
2005004818.tif 000004
【図３】
2005004818.tif 000005
【図４】
2005004818.tif 000006
【図５】
2005004818.tif 000007
【図６】
2005004818.tif 000008
【図７】
2005004818.tif 000009
【図８】
2005004818.tif 000010
【図９】
2005004818.tif 000011
【図１０】
2005004818.tif 000012
【図１１】
2005004818.tif 000013
【図１２】
2005004818.tif 000014
【図１３】
2005004818.tif 000015
【図１４】
2005004818.tif 000016
【図１５】
2005004818.tif 000017
【図１６】
2005004818.tif 000018
【図１７】
2005004818.tif 000019
【図１８】
2005004818.tif 000020